(57)【特許請求の範囲】
【請求項１】
農業用ハウスの被覆材の一端側を巻芯の外周に係止し、前記巻芯の少なくとも一端側を回転させて、前記被覆材を前記巻芯の外周に巻取ることで、前記被覆材を巻上るとともに、前記巻芯に巻取られた前記被覆材を、前記巻芯の少なくとも一端側を回転させて、前記被覆材を前記巻芯の外周から巻戻すことで巻下げる農業用ハウスの被覆材の巻上げ、巻下げに用いられる巻芯であって、
前記巻芯は、１５〜３５ｍｍの外径を有し、軸方向の端部の一方又は双方に着脱可能な嵌合連結用の軸継手が設けられたパイプからなる全長が２〜７ｍｍの複数の軸ユニットから構成され、
前記パイプは、繊維強化合成樹脂製パイプであって、前記繊維強化合成樹脂製パイプは、繊維強化合成樹脂からなる中間層とこれを被覆する熱可塑性樹脂からなる内層および外層の３層構造であり、これらの３層が相互に接着していることを特徴とする農業用ハウス被覆材の巻上げ，巻下げ用巻芯。
【請求項２】
農業用ハウスの被覆材の一端側を巻芯の外周に係止し、前記巻芯の少なくとも一端側を回転させて、前記被覆材を前記巻芯の外周に巻取ることで、前記被覆材を巻上るとともに、前記巻芯に巻取られた前記被覆材を、前記巻芯の少なくとも一端側を回転させて、前記被覆材を前記巻芯の外周から巻戻すことでことで巻下げる農業用ハウスの被覆材の巻上げ、巻下げに用いられる軸継手であって、
前記巻芯は、繊維強化合成樹脂製のパイプと、前記パイプに固着される軸継手とからなる複数の軸ユニットから構成され、
前記軸継手は、前記パイプの外径と略同一外径の鍔部と、
前記鍔部の一端側に形成された前記パイプへの挿入部と、
前記鍔部の他端側の軸方向に沿って延設形成され、かつ埋設された金属製補強芯を備えた複数の差込片と、
前記差込片間の周方向に沿って設けられ、連結される他のパイプに装着される軸継手の差込片を受容するかん合部とからなることを特徴とする農業用ハウス被覆材の巻上げ，巻下げ用巻芯に用いられる軸継手。
【請求項３】
前記軸継手は、前記差込片と前記嵌合部とが、前記鍔部の周方向に沿って交互に配置され、円形断面の対向位置を略９０度の間隔で軸方向に沿って扇形に切欠くことにより前記嵌合部を形成するとともに、切欠いた残部を差込片としたことを特徴とする請求項２記載の農業用ハウス被覆材の巻上げ，巻下げ用巻芯に用いられる軸継手。
【請求項４】
前記差込片の外周には、一対の前記軸継手を嵌合接続したときに、双方の差込片間に跨るように係止される０リング用の挿入溝を設けることを特徴とする請求項２または３記載の農業用ハウス被覆材の巻上げ，巻下げ用巻芯に用いられる軸継手。
【発明の詳細な説明】
【０００１】
【発明の属する技術分野】
本発明は、農業用ハウスのビニールフィルム，シート、寒冷紗などの被覆材を栽培作物の温度管理等のために開閉する際に、これを省力的に行え、かつ被覆材を損傷させることなく長期に使用できる被覆材の巻上げ、巻下げ用巻芯および軸継手に関する。
【０００２】
【従来の技術】
農業用ハウスにフィルムなどの被覆材を張設して、作物を栽培するハウス栽培においては、温度調節や採光調節のために、日射状態，気温などの環境条件に応じて、外側に張設された被覆材を巻上げて、一部ないし全部を外部に解放するとともに、夕刻，夜間には、被覆材を巻下げて、外部から遮蔽することが行われている。
【０００３】
このような被覆材の開閉操作は、亜鉛引鋼管あるいは鋼管に樹脂被覆したものを巻芯とし、これに被覆材を固定して巻上げ巻下げをおこなっていた。しかし、亜鉛引鋼管では、操作時に重いことや、芯材同士を繋ぐ場合に金属の差込式の継手を用いて管端側を偏平に変形させた状態で行っているが、この場合差込み式継ぎ手と鋼管との間に隙間が生じ、そこに雨水等が侵入して鋼管の腐食の原因となったり、冬期においては、侵入水が凍結して鋼管が割れる場合があり、巻芯の寿命が短かいなどの問題があった。
【０００４】
また、鋼管に樹脂被覆した巻芯でも前述同様の継手を使用するので同様の問題を有する他、ピンホール等が発生したりすると錆が発生してフィルム等の被覆材を傷めたり、あるいは、ここからの雨水等の侵入により鋼管が腐蝕して折損することがあった。
【０００５】
さらに、かしめるタイプの継手では、ハウス用被覆材の全長に合わせて一旦接続してしまうと、不使用時に接続部を外して保管，収納することが困難であり、全期間屋外に放置することとなって、使用寿命を縮める結果となっていた。
【０００６】
【発明が解決しようとする課題】
すなわち、鋼管等の金属製の巻芯では、継手が鋼管の内径より若干径小の差込式の金属とし、これを嵌合して鋼管と相互に重ね合わせた状態でかしめることによって接続しているので、鋼管と接続継手との間には隙間が生じ、雨水が侵入して発錆により巻芯の表面がざらつきフィルム等被覆材を破損させることや、内部に入った水分が凍結して鋼管を破裂させる等の問題があった。
【０００７】
また、一旦接続したものを外すには、塑性変形した金属部を再度変形させる必要があり厄介であるし、再度利用するにも修復の手間を要するので、屋外に放置の結果となり、巻芯の接続作業の改善、省力化および、分解可能として保管収納できるようにすることが要請されていた。
【０００８】
本発明は、このような問題に鑑みてなされたものであって、その目的とするところは、軽量なパイプと、このパイプを相互に繋ぐための、着脱可能な構造の軸継手とで構成される軸ユニットを複数本接続することによって構成され、前記の問題が解決できる新規な巻芯および同巻芯に用いる軸継手を提供することにある。
【０００９】
【課題を解決するための手段】
上記目的を達成するために、本発明は、農業用ハウスの被覆材の一端側を巻芯の外周に係止し、前記巻芯の少なくとも一端側を回転させて、前記被覆材を前記巻芯の外周に巻取ることで、前記被覆材を巻上るとともに、前記巻芯に巻取られた前記被覆材を、前記巻芯の少なくとも一端側を回転させて、前記被覆材を前記巻芯の外周から巻戻すことで巻下げる農業用ハウスの被覆材の巻上げ、巻下げに用いられる巻芯であって、前記巻芯は、１５〜３５ｍｍの外径を有し、軸方向の端部の一方又は双方に着脱可能な嵌合連結用の軸継手が設けられたパイプからなる全長が２〜７ｍｍの複数の軸ユニットから構成され、前記パイプは、繊維強化合成樹脂製パイプであって、前記繊維強化合成樹脂製パイプは、繊維強化合成樹脂からなる中間層とこれを被覆する熱可塑性樹脂からなる内層および外層の３層構造であり、これらの３層が相互に接着している。
この構成によれば、巻芯は、パイプの軸方向の端部の一方又は双方に着脱可能な嵌合連結用の軸継手が固着されたものを軸ユニットとしているので、農業用ハウスの長さに応じて必要な本数の軸ユニットを、軸継手を介して接続することで対応することができ、この際に軸継手は、着脱可能な嵌合連結構造なので、不使用時に軸ユニット単位で収納保管ができ、また、軸継手は接着剤あるいは摩擦融着、超音波融着等で固着しているので、パイプの内径との隙間がなく、パイプ内部への雨水等の侵入がない。
また、本発明では、前記パイプを繊維強化合成樹脂製パイプで構成しているので、軽量性、高弾性、耐捩り性などの特性の他、錆びることがなく、耐腐蝕性を有しており、農業用ハウス被覆材の巻上げ，巻下げ作業および、準備，保管作業の省力化ができる。
さらに、本発明では、前記繊維強化合成樹脂製パイプを、繊維強化合成樹脂からなる中間層とこれを被覆する熱可塑性樹脂からなる内層および外層の３層構造とし、これらの３層が相互に接着した構成としているので、内層、中間層、外層が相互に接着しているので、各層は相互に補強しあって中間層の縦割れを防止と圧縮強度の向上ができ、また、熱可塑性樹脂からなる外層の存在により、手での取扱いにおける、ガラス繊維等による手指への刺激がないなど作業性が改良され、パイプ自体も金型による引抜成形法と比較して生産性に優れるので低加工コストで製造できる。
またさらに、本発明は、農業用ハウスの被覆材の一端側を巻芯の外周に係止し、前記巻芯の少なくとも一端側を回転させて、前記被覆材を前記巻芯の外周に巻取ることで、前記被覆材を巻上るとともに、前記巻芯に巻取られた前記被覆材を、前記巻芯の少なくとも一端側を回転させて、前記被覆材を前記巻芯の外周から巻戻すことでことで巻下げる農業用ハウスの被覆材の巻上げ、巻下げに用いられる軸継手であって、前記巻芯は、繊維強化合成樹脂製のパイプと、前記パイプに固着される軸継手とからなる複数の軸ユニットから構成され、前記軸継手は、前記パイプの外径と略同一外径の鍔部と、前記鍔部の一端側に形成された前記パイプへの挿入部と、前記鍔部の他端側の軸方向に沿って延設形成され、かつ埋設された金属製補強芯を備えた複数の差込片と、前記差込片間の周方向に沿って設けられ、連結される他のパイプに装着される軸継手の差込片を受容するかん合部とから構成した。
この構成とすることによって、軸ユニット同士の接続、離脱を容易に行うことができ、かつ一端部からの、回転トルクを確実に伝達でき、巻上げ、巻下げ作業の省力化が図れる。
また、本発明では、前記軸継手は、前記差込片と前記嵌合部とが、前記鍔部の周方向に沿って交互に配置され、円形断面の対向位置を略９０度の間隔で軸方向に沿って扇形に切欠くことにより前記かん合部を形成するとともに、切欠いた残部を差込片とすることができる。
この構成によれば、一対の軸継手において、一方の継手を略９０度回転させた状態で相互の嵌合接続が行えるので、継手の種類が１つで済み、かつ補強芯の存在により、一般的に温度依存性を有する合成樹脂からなる差込片の強度を補強し、とりわけ高気温時の軟質化や低気温時の脆性化を克服して回転トルクの伝達を確実に行える。
この場合、前記差込片の外周には、一対の前記軸継手を嵌合接続したときに、双方の差込片間に跨るように係止される０リング用の挿入溝を設けることができる。
この構成によれば、軸継手を嵌合したときに、０リングを挿入溝に装着して、軸継手間の結合を補強することができるとともに、巻芯にフィルム等の被覆材の一端を固定するにあたって、この０リングの存在によって、押えのために使用する逆Ｕ状のプラスチック押え具との間で被覆材を強固に挟持することができる。
【００１０】
【発明の実施の形態】
以下、本発明の好適な実施の形態について、添付図面に基づいて詳細に説明する。図１〜図５は、本発明にかかる農業用ハウス被覆材の巻上げ，巻下げ用巻芯および同巻芯に用いる軸継手の一実施例を示している。
【００１１】
図１には、本発明の農業用ハウス被覆材の巻上げ，巻下げに使用される巻芯、軸継手が適用される農業用ハウス１が示されている。農業用ハウス１は、鋼管，鋼材などの枠（フレーム）２と、枠に張設される農ビフィルム等の被覆材３等から構成されている。
【００１２】
農業用ハウス１内には、フレーム２に被覆材として地面側に裾張用フィルム３ａ、側部および上部張用フィルム（以下サイド張りと称す。）３ｂを張設したもの、あるいは、地面までサイド張り３ｂを延長したもの等がある。
【００１３】
図１においては、左側のサイド張りフィルム３ｂは、巻芯４にフィルム３ｂの一端が係止され、この巻芯４に取着された、図４に示す巻取装置５のハンドル５ｄを回転させることで、フィルム３ｂが巻芯４の外周に巻き取られ、ハウス１のサイドから肩部にフィルム３ｂがない状態にし、ハウス１内の高温化防止や、換気等を行うために巻上げを開始した状態を示している。
【００１４】
巻上げられたフィルム３ｂは、例えば、夜間には、保温等をする必要があるので、巻取装置５のハンドル５ｄを反時計方向に回転させることで、フィルム３ｂを巻戻し、フィルム３ｂおよび裾張り３ａとでハウス１のサイドを覆うことができる。
【００１５】
図２には、巻芯４の構成部材である軸ユニット１０の詳細を示している。同図に示した軸ユニット１０は、繊維強化合成樹脂製の中空パイプ１２と、このパイプ１２の両端に固着された軸継手１４とから構成されている。
【００１６】
中空パイプ１２は、ハンドル５ｄを回転することによる長手軸心回りの回転トルクを、自ら回転しつつ、接続用の軸継手１４を介して、長手方向に伝達する機能を分担するので、フィルム３ｂを巻上げつつ回転するに際して、捩り力で破損しない物性を有することや、ハウスの長手方向のフィルムの長さに合わせて接続した場合に、軽量であることが望ましいことなどから、強化用補強繊維を合成樹脂で結着した繊維強化合成樹脂製としている。
【００１７】
強化用補強繊維は、強度あるいは経済性からガラス繊維が一般的であるが、炭素繊維、アラミド繊維、ポリエステル繊維、ビニロン繊維、ＰＢＯ繊維など通常ＦＲＰに用いられる他の繊維であっても良い。
【００１８】
強化用繊維を結着する合成樹脂は、不飽和ポリエステル樹脂、ビニルエステル樹脂、エポキシ樹脂、フェノール樹脂などの硬化性合成樹脂、あるいは、補強用繊維に溶融含浸可能な比較的低溶融粘度の熱可塑性樹脂であってもよいが、経済性、物性等の点から不飽和ポリエステル樹脂が推奨される。
【００１９】
繊維強化合成樹脂製のパイプ１２は、繊維強化合成樹脂層の単層構造であってもよいが、図３に示すように、繊維強化合成樹脂層の内外を熱可塑性樹脂で被覆した３層構造とすることが、パイプの生産性、取扱性、作業性の点で望ましい。
【００２０】
図３に示した繊維強化合成樹脂製のパイプ１２は、繊維強化合成樹脂層１２ａと、熱可塑性樹脂からなる内，外層１２ｂ，１２ｃとから構成されている。
【００２１】
このような３層構造のパイプ１２の製造用に用いられる合成樹脂は、繊維強化合成樹脂層１２ａにおいて、結着用の合成樹脂にスチレンを架橋性モノマーとして含む不飽和ポリエステル樹脂、または、ビニルエステル樹脂を使用する場合には、内層１２ｂ及び外層１２Ｃには、これらと化学的親和力を有するアクリルニトリルーブタジエンースチレン樹脂（ＡＢＳ樹脂）、アクリルニトリルースチレン樹脂（ＡＳ樹脂），アクリルニトリルーアクリルースチレン樹脂（ＡＡＳ樹脂），アクリルニトリルーエチレンプロピレンースチレン樹脂（ＡＥＳ樹脂）,ポリスチレン樹脂（ＰＳ樹脂），ポリカーボネイト樹脂（ＰＣ樹脂）などから選択して使用すると、内層１２ｂ及び外層１２Ｃと繊維強化合成樹脂層１２ａとが化学的に接着して、圧縮強度を向上することができる。
【００２２】
なお、被覆材の巻上げ，巻下げのための回転トルクが小さいときは、外層１２ｃの熱可塑性樹脂として、前述のものに代えて低密度ポリエチレン，直鎖状低密度ポリエチレンなどの各種ポリエチレンなどを使用しても、物性的に満足する場合があり、この場合も当然、表面被覆の効果は得られ、原料コストは低減される。
【００２３】
また、外層１２Ｃの外表面側には、これに巻付けられるフィルム３ｂとの滑りを防止するため、パイプの長手方向に複数のリブを設けたり、エンボスローラー等によって凹凸を賦形しても良い。
【００２４】
繊維強化合成樹脂製パイプ１２の径は農業用ハウスの長さ、巻上げ，巻下げ  するフィルム３ｂの厚さ、巻上げ幅などによって要求される回転トルクに応じて選択すればよいが、外径が１５〜３５ｍｍ程度に設定される。しかし、従来の鋼管によるものを巻芯として使用したときの巻取装置を使用する場合は、その外径と近似した、例えば２０〜３０ｍｍ程度の外径のものを使用すると、フィルム押え用部品の共用等の点で好ましい。
【００２５】
パイプの軸ユニットとしての長さは、作業性、収納性などを考慮すると、２〜７ｍ程度に設定する。
【００２６】
一方、軸継手１４は、パイプ１２の外径と略同一外径の円形鍔部１４ａと、この鍔部１４ａの一端側に形成されたパイプ１２の内径側への挿入部１４ｂと、鍔部１４ａの他端側に延設形成され、金属補強芯１４ｄを備えた差込片１４ｃと、差込片１４ｃの間に形成された嵌合部１４ｅを有している。
【００２７】
本実施例の場合には、挿入部１４ｂは、鍔部１４ａ側の根元部分がパイプ１２の内径とほぼ同一外径となっていて、先端側に向けて径が若干縮小するテーパ状に形成されている。
【００２８】
差込片１４ｃは、挿入部１４ｂと反対側にあって、外周面が円形の鍔部１４ａの外周を軸方向に延長した形状になっている。また、本実施例の場合には、鍔部１４ａの円形断面の中心を円形に切欠するとともに、中心に対して、略９０度の等角度間隔で分断し、この分断した部分を周方向に沿って１つ置きに、軸方向に沿って扇形形状に切欠することで嵌合部１４ｅが形成されていて、この切欠により残った部分が差込片１４ｃとなっている。
【００２９】
つまり、本実施例の場合には、略扇形断面に形成された一対の差込片１４ｃが、中心に対して対向した位置に設けられるとともに、各差込片１４ｃの周方向に隣接して、同じ扇形形状の嵌合部１４ｅが形成されている。
【００３０】
このような形状を備えた軸継手１４によれば、一対の軸継手１４間において、一方の軸継手１４を略９０度回転させた状態で、一方の継手の差込片１４ｃを他方の継手の嵌合部１４ｅに挿入することで、パイプ１２の径とほぼ同じ径の円形態となる相互の嵌合接続が行えるので、継手の種類が１つで済む。
【００３１】
なお、本発明の軸継手１４の差込片１４ｃと嵌合部１４ｅの形状は、上述した形状に限られることはなく、嵌合部１４ｅの形状が差込片１４ｃを受容できるものであれば、どのような形状であってもよい。
【００３２】
さらに、本実施例の場合には、差込片１４ｃの外周には、一対の軸継手１４を嵌合接続したときに、双方の差込片１４ｃ間に跨るように係止される０リング１４ｈの挿入溝１４ｆが設けられている。
【００３３】
軸継手１４を嵌合接続したときに０リング１４ｈを挿入溝１４ｆに装着すると、軸継手１４間の結合を補強することができ、かつ０リングの存在により、この外周に当接される巻上げ対象の被覆材に対する逆Ｕ状プラスチック押え具による挟持力が向上できる。
【００３４】
以上のように構成された軸継手１４は、回転トルクによる捩り力が負荷されるので、ＡＢＳ樹脂や各種エンプラ樹脂などの高物性樹脂を射出成形することなどにより一体成形することが、金属等により構成する場合より軽量性や、耐錆性の点で好ましい。
【００３５】
また、農業用ハウスの棟が長い場合や、塩ビフィルム等被覆材の厚みが厚く重い場合、巻上げ、巻下げのための回転トルクによる捩り力が大となり、差込片１４ｃに負荷が集中するので、鋼線など高弾性率の材料をインサート成形して補強芯１４ｄを埋入するのが好ましい。
【００３６】
嵌合部１４ｅには、金属補強芯１４ｄの先端部が係合収納できる孔部１４ｇを有している。
【００３７】
なお、軸継手１４をパイプ１２に装着する際には、挿入部１４ａに接着剤を塗布して、パイプ１２内に挿入するか、軸継手１４を回転しながらパイプ１２に挿入して摩擦発熱で融着するいわゆるフリクション融着、あるいは軸継手をパイプ内に挿入後超音波融着方法等が挙げられる。
【００３８】
巻芯４は、パイプ１２と軸継手１４とから構成される軸ユニット１０を複数用いて、任意の長さとされるが、このときに片端側に位置するパイプ１２の一端は、図４に示すハンドル５ｄを有する巻上装置５と接続される。
【００３９】
同図に示した巻上装置５は、パイプ１２が挿入固定される固定部５ａと、内部に図示省略の回転軸を軸支するベアリング等が装着されたケーシング５ｂと、回転軸に接続されたハンドル部５ｄを有する一方、ケーシング５ｂの側面に延設された上下摺動ガイド５ｃとを有している。
【００４０】
上下摺動ガイド５ｃには、一端が地中に立設固定されたガイドパイプ６が挿通され、フィルム３ｂの巻上げ、巻下げに応じて、巻芯の回転中心、つまり巻取装置が上下方向に移動するのを、摺動ガイドとガイドパイプによって保持する。
具体的実施例
内径１４．５ｍｍ、外径１７ｍｍの内層用のＡＢＳ樹脂製パイプ１２ｂを連続的に押出成形し、その外周に不飽和ポリエステル樹脂を含浸したガラス繊維ロービングを縦沿えさせて、外径を  ２０．５ｍｍに絞り成形して、未硬化状の繊維強化合成樹脂層を形成し、これを溶融押出機のクロスヘッドダイに導いて、溶融状のＡＢＳ樹脂により外径２２．２ｍｍとなるように環状に被覆し、直ちに冷却槽に導き、表面のＡＢＳ樹脂被覆層１２ｃを冷却した後に、加熱硬化槽に導いて、未硬化状不飽和ポリエステル樹脂を硬化させて、繊維強化合成樹脂層１２ａを形成して、各層が接着した３層構造のパイプ１２を得た。
【００４１】
一方、軸継手は、図３に示した形状を有し、外径１４．４ｍｍ、長さ３５ｍｍの挿入部１４ｂと外径  ２２ｍｍの鍔部１４ａ、と長さ約  ３０．５ｍｍで、円形断面を放射状に４分割したうちの２片に相当する差込片１４ｃを備え、かつ、差込片１４ｃの中央部に外形３ｍｍのステンレス鋼線を金属補強芯１４ｄとしてインサートされたものであって、ＡＢＳ樹脂を射出成形したものである。嵌合部１４ｅの底部には、突き出した補強芯１４ｄの先端部５ｍｍが、入り込む収納孔１４ｇを設けた。
【００４２】
前記パイプ１２を  ４ｍおよび３ｍに切断し、４ｍに切断したものにはその両端に、軸継手１４を接着剤により固着して軸ユニット１０とした。
【００４３】
一方、農業用ハウスの両端に使用するものには、３ｍ及び４ｍのパイプの一端側にのみ軸継手１４を固着した。
【００４４】
このような構成の軸ユニット１０を４ｍで両端に軸継手１４を固着したもの  １２本および、片端に軸継手１４を固着した４ｍ及び３ｍものを各１本準備し、ハウスの後端には３ｍものを配置して、軸継手１４を介して順次嵌合接続した後、巻上装置５を取付ける末端の軸ユニット１０は、４ｍのパイプ１２を用い、巻取装置５とは、接続部５ａの固定ネジで固着して、間口６ｍ、高さ４ｍ、奥行き５４ｍの鉄骨製の農業用ハウス１の  サイド張りフィルム３ｂの巻上げ、巻下げ用の巻芯として準備した。
【００４５】
巻芯４へのフィルム３ｂの固定は、先ず巻芯４にフィルム３ｂを当接して巻込み、軸ユニット１０の継手部分および中間の  ２．０ｍの部分、つまり、４ｍものについては、各２ｍおきにフィルム３ｂの上から、内径２２．２ｍｍで  逆Ｕ状のプラスチック製の押え具（シーアイ化成製：商品名「ハマカセット」２２）を被せることにより行った。
【００４６】
この巻芯および巻上装置により、サイド張りフィルム３ｂの巻上げ、巻下げを行ったところ、ハウスの全長に亘って均一に、かつ従来の金属管のものと比較して軽い力で操作できた。また、雨天の後でフィルム３ｂが濡れている場合であっても、滑ることなくハウスの全長に亘ってほぼ均一に巻上げ，巻下げができた。
【００４７】
【発明の効果】
以上、実施例で詳細に説明したように、本発明にかかる農業用ハウス被覆材の巻上げ、巻下げ用巻芯および軸継手によれば、巻芯となる軸ユニットを繊維強化合成樹脂製パイプで構成しているので、この種のパイプが有している軽量性、高弾性、耐捩り性などの特性を有効に活用して、端部から加えられる回転力を軸継手を介して、嵌合接続された複数本の軸ユニットからなる巻芯の全長に伝達させて、これを一体として回転させることにより、巻芯に固定された農業用ハウス被覆材を全長に亘って同時に巻上げ、ないし巻下げできる。
【００４８】
また、軸継手はパイプに挿入固着されているので、雨水等の侵入がなく、凍結破裂等の危惧がない。
【図面の簡単な説明】
【図１】この発明にかかる農業用ハウス被覆材の巻上げ，巻下げ用巻芯が適用される農業用ハウスの全体説明図である。
【図２】本発明の巻芯を構成する軸ユニットおよび軸継手の説明図である。
【図３】図２に示した軸ユニットの繊維強化合成樹脂製パイプおよび軸継手の一例を示す分解斜視図と組立斜視図および要部縦断面図である。
【図４】巻芯の一端部が固定接続される巻上装置の一例を示す斜視図である。
【符号の説明】
１                農業用ハウス
２                フレーム
３ａ              裾張りフィルム
３ｂ              サイド張りフィルム
４                巻芯
５                巻上げ装置
５ａ              固定部
５ｂ              ケーシング
５ｃ              摺動ガイド
５ｄ              ハンドル
６                ガイドパイプ
１０              軸ユニット
１２              繊維強化合成樹脂製パイプ
１４              軸継手
１４ａ            鍔部
１４ｂ            挿入部
１４ｃ            差込片
１４ｄ            補強芯
１４ｅ            嵌合部
１４ｆ            挿入溝
【図１】
0003809979.tif 000002
【図２】
0003809979.tif 000003
【図３】
0003809979.tif 000004
【図４】
0003809979.tif 000005